(57)【要約】【課題】温度環境の変化に自動的に対応して所定のダンパー効果を得ることができるようにした点である。  【解決手段】作動液体Ｑを封入したケース１０内にロータ２０を配置し、このロータ２０の回転に伴いケース１０側とロータ２０側との対向間Ｔで前記作動液体Ｑの剪断抵抗を作用させる回転ダンパ−装置において、温度変化に追従して変位し前記対向間Ｔの間隔Ｈを変化させる調整部Ａを設けて、温度環境の変化に自動的に対応して所定のダンパー効果を得ることができるように構成されている。【選択図】  図１
2007309501.tif 000002
【特許請求の範囲】
【請求項１】
作動液体を封入したケース内にロータを配置し、該ロータの回転に伴いケース側とロータ側との対向間で前記作動液体の剪断抵抗を作用させる回転ダンパ−装置において、
温度変化に追従して変位し前記対向間の間隔を変化させる調整部を設けたことを特徴とする回転ダンパ−装置。
【請求項２】
請求項１記載の回転ダンパ−装置であって、
前記調整部は、ロータ側又はケース側に取り付けたことを特徴とする回転ダンパ−装置。
【請求項３】
請求項１又は２記載の回転ダンパ−装置であって、
前記調整部は、バイメタル又は形状記憶合金で形成されたことを特徴とする回転ダンパ−装置。
【請求項４】
請求項１又は２記載の回転ダンパ−装置であって、
前記調整部は、ケース側又はロータ側に可動支持され前記対向間の間隔を変化させるように変化する可動板と、該可動板とケース側又はロータ側に支持され温度変化に応じて前記可動板を変位させるバイメタル又は形状記憶合金で形成された駆動部と、前記可動板を復帰させるための弾性部材から構成したことを特徴とする回転ダンパ−装置。
【発明の詳細な説明】
【技術分野】
【０００１】
本発明は、温度環境の変化に対応して所定のダンパー効果を得ることができる回転ダンパ−装置に関する。
【背景技術】
【０００２】
従来の回転ダンパ−装置としては、例えば特開昭６１−２４８５２号公報に記載されたものがある。この回転ダンパ−装置は、使用される温度環境の変化に起因して作動流体の粘性が変動するため、設定温度の許容範囲以内であれば正常に作動するが、温度環境が設定温度の許容範囲を超えて高くなったり低くなると、所定のダンパ−効果を得ることができない恐れがある。
【０００３】
そこで、温度環境の変化に左右されることなく所定のダンパー効果を得ることができる回転ダンパ−装置として、例えば特許第３１２４８９８号公報に記載されたものが開発されている。ところがこの装置は、使用される環境温度に合わせて人為的に調整しなければならない等、温度環境の変化に自動的に対応して所定のダンパー効果を得ることはできないという問題があった。
【０００４】
【特許文献１】特開昭６１−２４８５２号公報
【特許文献２】特許第３１２４８９８号公報
【発明の開示】
【発明が解決しようとする課題】
【０００５】
解決しようとする問題点は、使用される温度環境の変化に自動的に対応して所定のダンパー効果を得ることができないという点である。
【課題を解決するための手段】
【０００６】
本発明は、温度環境の変化に自動的に対応するため、作動液体を封入したケース内にロータを配置し、該ロータの回転に伴いケース側とロータ側との対向間で前記作動液体の剪断抵抗を作用させる回転ダンパ−装置において、温度変化に追従して変位し前記対向間の間隔を変化させる調整部を設けたことを特徴とする回転ダンパ−装置。
【発明の効果】
【０００７】
本発明の回転ダンパ−装置は、作動液体を封入したケース内にロータを配置し、該ロータの回転に伴いケース側とロータ側との対向間で前記作動液体の剪断抵抗を作用させる回転ダンパ−装置において、温度変化に追従して変位し前記対向間の間隔を変化させる調整部を設けたから、使用される温度環境の変化に自動的に対応して所定のダンパー効果を確実に得ることができる。
【実施例１】
【０００８】
図１〜図３は本発明の実施例１からなる回転ダンパ−装置を示しており、図１は高温での作動状態を示す要部断面説明図、図２は同上常温での作動状態を示す要部半断面説明図、図３は同上低温での作動状態を示す要部半断面説明図である。
【０００９】
本発明の実施例１を適用した回転ダンパ−装置Ｅ１は、ケース１０、ロータ２０及び調整部Ａから構成されている。
【００１０】
前記ケース１０は、内部に前記ロ−タ２０を収納すると共にシリコンオイル等の作動液体Ｑを封入する作動室１１が設けられている。
【００１１】
前記ロ−タ２０は、円盤状に形成された制動盤２１と、この制動盤２１の中心部に一体的に凸設された回転軸２２と、この回転軸２２の中心と一致させて前記制動盤２１の低面に開口するよう設けられた取付孔２３から構成されている。
【００１２】
このように構成されたロ−タ２０を収納する前記作動室１１の底面の中心部には、前記取付孔２３と回転自在に緩合する取付用回転軸１２が一体的に凸設され、この取付用回転軸１２を中心として前記制動盤２１を収納する制動盤収納部１３が形成され、この制動盤収納部１３を含む外周側にドーナツ状に剪断抵抗発生部１４が形成されている。
【００１３】
前記調整部Ａは、この実施例１においてバイメタル３０により構成されている。このバイメタル３０の外径側の形状は前記制動盤２１とほぼ同等な円板状に形成され、内径側の形状は前記剪断抵抗発生部１４の内周壁１５に形成されたバイメタル取付用周溝１６に取り付け可能に形成されており、常温では平板状を呈し、温度が上昇すると、上昇温度に対応して前記制動盤２１側に湾曲し、温度が下降すると、下降温度に対応して反制動盤２１側に湾曲するように構成されている。
【００１４】
常温での使用状態では図２に示すように、バイメタル３０は平板状を呈し、ケース１０側とロータ２０側との対向間Ｔの間隔Ｈ１、すなわち、バイメタル３０の制動盤側面３０ａと制動盤２１の湾曲面２１ａとの対向間Ｔの間隔はＨ１となり、用いられている作動液体Ｑの常温での粘度に対応した剪断抵抗を得ることができる。
【００１５】
粘度に対応した剪断抵抗は、上述した対向間Ｔのみで得ているのではなく、この実施例の場合、前記制動盤収納部１３を形成している隙間Ｓ全体が関与している。しかし、この関与は作動液体Ｑの温度が変化した場合も、同等の割合で関与するので、以下の説明では省略する。
【００１６】
温度が上昇すると、上昇温度に対応してバイメタル３０は図１に示すように、前記制動盤２１側に湾曲し、バイメタル３０の制動盤側面３０ａと制動盤２１の湾曲面２１ａとの対向間Ｔの間隔は設定最高温度でＨ２となり、常温での使用状態と比較して狭くなる。
【００１７】
高温時における作動液体Ｑの粘度は、常温での粘度と比較して低下し流動性は向上して
剪断抵抗は低下するが、上述したように、対向間Ｔの間隔を常温での使用状態と比較して自動的に狭くできるので、剪断抵抗をほぼ一定に保持することができる。
【００１８】
温度が下降すると、下降温度に対応してバイメタル３０は図３に示すように、前記作動室１１側に湾曲し、バイメタル３０の制動盤側面３０ａと制動盤２１の湾曲面２１ａとの対向間Ｔの間隔はＨ３となり、常温での使用状態と比較して広くなる。
【００１９】
低温時における作動液体Ｑの粘度は、常温での粘度と比較して高くなり流動性は低下して剪断抵抗は向上するが、上述したように、対向間Ｔの間隔を常温での使用状態と比較して自動的に広くできるので、剪断抵抗をほぼ一定に保持することができる。
【００２０】
上述したように、この実施例では作動液体Ｑの温度変化に対応してバイメタル３０の形状を変化させ、これによりバイメタル３０の制動盤側面３０ａと制動盤２１の湾曲面２１ａとの対向間Ｔの間隔Ｈを自動的に変化させて剪断抵抗をほぼ一定に保持するようにしている。このように、前記対向間Ｔの間隔Ｈ、言い換えると隙間を変化させているが、これに起因して作動液体Ｑの全体容積に変化を与えることがない。  従って、温度環境の変化に自動的に対応して所定のダンパー効果をより確実に得ることができる。
【００２１】
なお、実施例１において調整部Ａを構成する部材としてバイメタルを用いたが、これは
形状記憶合金を用いても良い。
【００２２】
また、図において５０は０リングで、ロータ２０の回転軸２２とケース１０間をシールするものである。    
（実施例１の変形例１）
図４は本発明の実施例１の変形例１からなる回転ダンパ−装置を示しており、図４は高温での作動状態を示す要部断面説明図である。
【００２３】
本発明の実施例１の変形例１からなる回転ダンパ−装置Ｅ１ａは、前述した実施例１からなる回転ダンパ−装置Ｅ１と、構造及び奏する効果が同様であるから詳細な説明は省略し、相違点についてのみ説明する。
【００２４】
この変形例１からなる回転ダンパ−装置Ｅ１ａが、前述した実施例１の回転ダンパ−装置Ｅ１と異なるのは、図から明らかなように、温度変化に追従して変位し前記対向間Ｔの間隔Ｈを変化させる調整部Ａを、ロータ２０を構成する制動盤２１の両面側に対向させてケース１０に設けた点である。  
このように変形例１において調整部Ａを制動盤２１の両面側に対向させてケース１０に設けたので、制動盤２１の片面側にのみ対向させて設けた場合と比較してダンパー効果を大幅に向上することができる。
（実施例１の変形例２）
図５は本発明の実施例１の変形例２からなる回転ダンパ−装置を示しており、図５は高温での作動状態を示す要部半断面説明図である。
【００２５】
本発明の実施例１の変形例２からなる回転ダンパ−装置Ｅ１ｂは、前述した実施例１からなる回転ダンパ−装置Ｅ１と、構造及び奏する効果が同様であるから詳細な説明は省略し、相違点についてのみ説明する。
【００２６】
この変形例２からなる回転ダンパ−装置Ｅ１ｂが、前述した実施例１の回転ダンパ−装置Ｅ１と異なるのは、図から明らかなように、高温での作動時において前記調整部Ａで、剪断抵抗発生部１４を遮断してしまう点である。  
すなわち、調整部Ａは実施例１と同様にバイメタル３０により構成されており、温度が上昇すると、上昇温度に対応してバイメタル３０は図５に示すように、前記制動盤２１側に湾曲し、バイメタル３０の制動盤側面３０ａと制動盤２１の湾曲面２１ａとの対向間Ｔの間隔は設定最高温度でＨ２となり、常温での使用状態と比較して狭くなると共に、バイメタル３０の外周縁が制動盤収納部１３と剪断抵抗発生部１４とを遮断してしまう。
【００２７】
従って、ロータ２０の回転による剪断抵抗の発生は、バイメタル３０の制動盤側面３０ａと制動盤２１の湾曲面２１ａとの対向間Ｔの間隔Ｈ２だけの狭い範囲の作動液体Ｑで発生させるので、より確実に高温時におけるダンパー効果を得ることができる。
【実施例２】
【００２８】
図６〜図１０は本発明の実施例２からなる回転ダンパ−装置を示しており、図６は高温での作動状態を示す要部断面説明図、図７は同上常温での作動状態を示す要部断面説明図、図８は同上低温での作動状態を示す要部断面説明図、図９及び図１０はそれぞれ同上調整部を構成するバイメタルの例を示す平面説明図である。
【００２９】
本発明の実施例２からなる回転ダンパ−装置Ｅ２は、前述した実施例１からなる回転ダンパ−装置Ｅ１と、構造及び奏する効果が類似しているから詳細な説明は省略し、相違点についてのみ説明する。
【００３０】
実施例２からなる回転ダンパ−装置Ｅ２が、前述した実施例１の回転ダンパ−装置Ｅ１と異なるのは、図から明らかなように、温度変化に追従して変位し前記対向間Ｔの間隔Ｈを変化させる調整部Ａを、ロータ２０を構成する制動盤２１の両面側に直接的に設けた点である。  
すなわち、実施例２において調整部Ａは、前述した実施例１と同様にバイメタル３０により構成されている。このバイメタル３０の外径側の形状は、前記制動盤２１とほぼ同等な円板状に形成され、内径側の形状は、制動盤２１の回転軸２２側に設けられたバイメタル取付用段部１７に取り付け可能に形成されており、常温では図７に示すようにほぼ水平な平板状を呈し、温度が上昇すると上昇温度に対応して図６に示すように、ケース１０の前記剪断抵抗発生部１４の上下周面とほぼ平行に変形し、温度が下降すると下降温度に対応して図８に示すように、制動盤２１の表面に当接するまで変形するように構成されている。
【００３１】
常温での使用状態では図７に示すように、バイメタル３０は平板状を呈し、ケース１０側とロータ２０側との対向間Ｔの間隔Ｈ１、すなわち、バイメタル３０のケース１０側面１０ｄと制動盤２１の外側面２１ｄとの対向間Ｔの間隔はＨ１となり、用いられている作動液体Ｑの常温での粘度に対応した剪断抵抗を得ることができる。
【００３２】
温度が上昇すると上昇温度に対応してバイメタル３０は図６に示すように、ケース１０の前記剪断抵抗発生部１４の上下周面とほぼ平行に変形し、バイメタル３０のケース１０側面１０ｄと制動盤２１の外側面２１ｄとの対向間Ｔの間隔は設定最高温度でＨ２となり、常温での使用状態と比較して狭くなる。
【００３３】
高温時における作動液体Ｑの粘度は、常温での粘度と比較して低下し流動性は向上して
剪断抵抗は低下するが、上述したように、対向間Ｔの間隔を常温での使用状態と比較して自動的に狭くできるので、剪断抵抗をほぼ一定に保持することができる。
【００３４】
温度が下降すると下降温度に対応してバイメタル３０は図８に示すように、制動盤２１の表面に当接するまで変形し、バイメタル３０のケース１０側面１０ｄと制動盤２１の外側面２１ｄとの対向間Ｔの間隔はＨ３となり、常温での使用状態と比較して広くなる。
【００３５】
低温時における作動液体Ｑの粘度は、常温での粘度と比較して高くなり流動性は低下して剪断抵抗は向上するが、上述したように、対向間Ｔの間隔を常温での使用状態と比較して自動的に広くできるので、剪断抵抗をほぼ一定に保持することができる。
【００３６】
図９及び図１０はバイメタル３０の形状を例示したものであり、いずれの例も取り付け孔３２に回り止め手段３３が施されており、バイメタル３０が制動盤２１を介してロータ２０と共に回転できるようにしてある。
【００３７】
なお、実施例２において調整部Ａを構成する部材としてバイメタルを用いたが、これは
形状記憶合金を用いても良い。
【実施例３】
【００３８】
図１１〜図１３は本発明の実施例３からなる回転ダンパ−装置を示しており、図１１は高温での作動状態を示す要部断面説明図、図１２は同上低温での作動状態を示す要部断面説明図、図１３は同上  調整部  を構成するバイメタルの例を示す平面説明図である。
【００３９】
本発明の実施例３からなる回転ダンパ−装置Ｅ３は、前述した実施例１からなる回転ダンパ−装置Ｅ１と、構造及び奏する効果が類似しているから詳細な説明は省略し、相違点についてのみ説明する。
【００４０】
実施例３からなる回転ダンパ−装置Ｅ３が、前述した実施例１の回転ダンパ−装置Ｅ１と異なるのは、図から明らかなように調整部Ａの構成である。すなわち、この実施例において調整部Ａは、ケース１０側又はロータ２０側に可動支持され前記対向間Ｔの間隔Ｈを変化させるように変化する可動板４０と、この可動板４０とケース１０側又はロータ２０側に支持され温度変化に応じて前記可動板４０を変位させるバイメタル３０又は形状記憶合金３１で形成された駆動部Ｄと、前記可動板４０を復帰させるための弾性部材４１から構成されている。
【００４１】
すなわち、バイメタル３０は、前記剪断抵抗発生部１４の外周壁に間隔をおいて設けられているガイド４２に、昇降可能に配置された前記可動板４０に図示したように取り付けられている。そして、この可動板４０は制動盤２１を夾み相対向して配置されており、前記ガイド４２側に介在されている弾性部材４１により剪断抵抗発生部１４の上下内面側、つまり各可動板４０を復帰させる方向に附勢されている。
【００４２】
このバイメタル３０の形状は、この実施例では図１３に示されているように、平面視ほぼ歯車状に形成され、その内周面側が前記可動板４０のケース１０側面に取り付けられており、温度が上昇すると上昇温度に対応して図１１に示すように、バイメタル３０が撓んで各可動板４０を制動盤２１側へ押圧するように変形し、温度が下降すると下降温度に対応して図１２に示すように、ケース１０側の内面に当接するまで変形するように構成されている。
【００４３】
常温での使用状態は図示しないが、バイメタル３０及び弾性部材４１により移動する各可動板４０は図１１と図１２との中間に位置し、用いられている作動液体Ｑの常温での粘度に対応した剪断抵抗を得ることができる。
【００４４】
温度が上昇すると上昇温度に対応して図１１に示すように、可動板４０と制動盤２１との対向間Ｔの間隔は設定最高温度でＨ２となり、常温での使用状態と比較して狭くなる。
【００４５】
高温時における作動液体Ｑの粘度は、常温での粘度と比較して低下し流動性は向上して
剪断抵抗は低下するが、上述したように、対向間Ｔの間隔を常温での使用状態と比較して自動的に狭くできるので、剪断抵抗をほぼ一定に保持することができる。
【００４６】
温度が下降すると下降温度に対応して図１２に示すように、可動板４０と制動盤２１との対向間Ｔの間隔はＨ３となり、常温での使用状態と比較して広くなる。
【００４７】
低温時における作動液体Ｑの粘度は、常温での粘度と比較して高くなり流動性は低下して剪断抵抗は向上するが、上述したように、対向間Ｔの間隔を常温での使用状態と比較して自動的に広くできるので、剪断抵抗をほぼ一定に保持することができる。
【００４８】
なお、この実施例において調整部Ａを構成する部材としてバイメタルを用いたが、これは形状記憶合金を用いても良い。また、弾性部材４１はコイルスプリングを用いたが、これは波ワッシャを用いても良い。
【図面の簡単な説明】
【００４９】
【図１】本発明の実施例１からなる回転ダンパ−装置を示す高温での作動状態を示す要部断面説明図である。
【図２】同上常温での作動状態を示す要部半断面説明図である。
【図３】同上低温での作動状態を示す要部半断面説明図である。
【図４】本発明の実施例１の変形例１からなる回転ダンパ−装置を示す高温での作動状態を示す要部断面説明図である。
【図５】本発明の実施例１の変形例２からなる回転ダンパ−装置を示す高温での作動状態を示す要部半断面説明図である。
【図６】本発明の実施例２からなる回転ダンパ−装置を示す高温での作動状態を示す要部断面説明図である。
【図７】同上常温での作動状態を示す要部断面説明図である。
【図８】同上低温での作動状態を示す要部断面説明図である。
【図９】同上調整部を構成するバイメタルの例を示す平面説明図である。
【図１０】同上調整部を構成するバイメタルの例を示す平面説明図である。
【図１１】本発明の実施例３からなる回転ダンパ−装置を示す高温での作動状態を示す要部断面説明図である。
【図１２】同上低温での作動状態を示す要部断面説明図である。
【図１３】同上  調整部  を構成するバイメタルの例を示す平面説明図である。
【符号の説明】
【００５０】
１０    ケース
２０    ロータ
３０    バイメタル
３１    形状記憶合金
４０    可動板
４１    弾性部材
Ａ      調整部
Ｄ      駆動部
Ｈ     対向間の間隔
Ｑ      作動液体
Ｔ      対向間
【図１】
2007309501.tif 000003
【図２】
2007309501.tif 000004
【図３】
2007309501.tif 000005
【図４】
2007309501.tif 000006
【図５】
2007309501.tif 000007
【図６】
2007309501.tif 000008
【図７】
2007309501.tif 000009
【図８】
2007309501.tif 000010
【図９】
2007309501.tif 000011
【図１０】
2007309501.tif 000012
【図１１】
2007309501.tif 000013
【図１２】
2007309501.tif 000014
【図１３】
2007309501.tif 000015